(57)【要約】  【課題】収納ケース内に収納される物品の個別管理を収納ケースの機能に頼らず電磁的に行うことが可能であり、しかも給電やデータ授受のために必要な配線等に邪魔されることなく当該収納ケースに密接に取り付けて収納ケースの内空を最大限に有効利用することができるように改良工夫した新規有用な収納ユニットを提供する。  【解決手段】筐体１１内に、ファイルＦを収納する第１収納空間Ｓ１と、この第１収納空間Ｓ１を電磁的に管理するために必要な配線付き機器である制御盤３３、アンテナ３１のコネクタ部３２、ロック手段５のシリンダ錠５１等を収納する第２収納空間Ｓ２とを形成し、筐体１１を他の収納ユニット１の筐体１１とともに収納ケース２内に積み重ねた状態で着脱可能に組み込み得るように構成したものであって、第２収納空間Ｓ２を包囲する筐体１１の少なくとも一部に、上下方向に連続する凹部１５を設けることとした。  【選択図】図２
2006061425.tif 000002
【特許請求の範囲】
【請求項１】
筐体内に、ファイル等の物品を収納する第１収納空間と、この第１収納空間を電磁的に管理するために必要な配線付き機器を収納する第２収納空間とを形成し、前記筐体を他の収納ユニットの筐体とともに収納ケース内に積み重ねた状態で着脱可能に組み込み得るように構成するとともに、前記第２収納空間を包囲する筐体の少なくとも一部に、上下方向に連続する凹部を設けたことを特徴とする収納ユニット。
【請求項２】
筐体を爪やレール等の係合要素を介して収納ケースの適宜の高さ位置に着脱可能に係合させ得るようにしている請求項１記載の収納ユニット。
【請求項３】
係合要素が、棚板を収納ケースに着脱可能に係合させるための係合要素と同様の構造のものである請求項２記載の収納ユニット。
【請求項４】
凹部が、筐体の背面を凹陥させたものである請求項１〜３記載の収納ユニット。
【請求項５】
凹部が、筐体の側面を凹陥させたものである請求項１〜３記載の収納ユニット。
【請求項６】
凹部が、筐体の背面及び側面のコーナー部を凹陥させたものである請求項１〜３記載の収納ユニット。
【請求項７】
配線付き機器に、ファイルの出し入れ情報等を管理する制御盤を含んでいる請求項１〜６記載の収納ユニット。
【請求項８】
配線付き機器に、ファイルに設けた記憶媒体との間でファイル情報を送受信するアンテナに付随するコネクタ部を含んでいる請求項１〜５記載の収納ユニット。
【請求項９】
配線付き機器に、第１収納空間を開閉する開閉部材を施開錠するためのロック手段の構成要素を含んでいる請求項１〜５記載の収納ユニット。
【請求項１０】
筐体内に、ファイル等の物品を収納する第１収納空間と、この第１収納空間を電磁的に管理するために必要な配線付き機器を収納する第２収納空間とを形成し、前記筐体を他の収納ユニットの筐体とともに垂直スタックし得るように構成するとともに、前記第２収納空間を包囲する筐体の少なくとも一部に、上下方向に連続する凹部を設けたことを特徴とする収納ユニット。
【発明の詳細な説明】
【技術分野】
【０００１】
本発明は、オフィス等において好適に利用される収納ユニットに関するものである。
【背景技術】
【０００２】
例えば特許文献１に示されるような従来のオープン棚やロッカー等の収納ケースは、適宜棚板や中仕切りを使用し、或いはボックスファイルを使用するなどして、収納空間の利用効率を向上させるようにしており、最大限に収納機能が発揮されるように、収納ケースの内面にはなるべく不必要な加工等は施さないようにしている。
【特許文献１】特開２００４−９２０２２号公報
【発明の開示】
【発明が解決しようとする課題】
【０００３】
しかしながら、かかる従来のオープン棚やロッカー等では、ファイルその他の共有物を個別管理したい場合等に不向きである。例えば、近時におけるオフィスは、機密性の高いファイル等の共有物を管理するために収納状態を厳格にすることが求められているが、単に収納空間を区成するだけで収納ケースに管理機能が全くないか若しくは収納ケース全体として施錠程度の管理機能しか発揮しないものは、ボックス単位、或いは棚板や中仕切りで区成された収納空間単位の的確な管理を行うことは難しい。
【０００４】
本発明は、このような課題に着目してなされたものであって、収納ケース内に収納される物品の個別管理を収納ケースの機能に頼らずに電磁的に行うことが可能であり、しかも給電やデータ授受のために必要な配線等に邪魔されることなく当該収納ケースに密接に取り付けて収納ケースの内空を有効利用することができるように創意工夫した新規有用な収納ユニットを提供することを目的としている。
【課題を解決するための手段】
【０００５】
本発明は、上記の目的を達成するために、次のような手段を講じたものである。
【０００６】
すなわち、本発明の収納ユニットは、筐体内に、ファイル等の物品を収納する第１収納空間と、この第１収納空間を電磁的に管理するために必要な配線付き機器を収納する第２収納空間とを形成し、前記筐体を他の収納ユニットの筐体とともに収納ケース内に積み重ねた状態で着脱可能に組み込み得るように構成するとともに、前記第２収納空間を包囲する筐体の少なくとも一部に、上下方向に連続する凹部を設けたことを特徴とする。なお、積み重ねた状態とは、必ずしも直接接触して積み重ねた状態にする場合に限らず、収納ケースに多段に支持させることで見掛け上積み重ねた状態にする態様も含まれる。
【０００７】
このように構成すれば、収納ケースにファイル等を収納した収納ユニットを密集させて配置することができ、しかも収納ケースに管理機能が全くないか若しくは収納ケース全体でしか管理機能を発揮しないような場合であっても、第２収納空間に配置した配線付き機器によって収納ユニット単位で第１収納空間の電磁的な個別管理を有効に行うことができる。
【０００８】
そして、極力内空を確保したい第１収納空間とは異なり、第２収納空間は管理に必要な配線付き機器を収納すれば足りるため、この第２収納空間の周囲に凹部を設けても収納機能に著しい不具合が生じることはない。そして、収納ユニットを積み重ねた際に複数の収納ユニットに亘って上下方向に凹部を連続させれば、第２収納空間に収容した配線付き機器の配線をこの凹部に沿って有効に引き回すことができる。しかも、筐体の外面を収納ケースの内面に当接ないし近接させても凹部内の空間は確保されるので、配線機能を損なずに収納ケースへの密接な取り付けを行うことが可能となる。
【０００９】
取扱いの便を向上させるためには、筐体を爪やレール等の係合要素を介して収納ケースの適宜の高さ位置に着脱可能に係合させ得るようにしていることが望ましい。
【００１０】
その際、既存部品の有効利用を図るためには、係合要素に、棚板を収納ケースに着脱可能に係合させるための係合要素と同様の構造のものを採用しておくことが好ましい。
【００１１】
凹部の具体的な実施の態様としては、筐体の背面を凹陥させたもの及び／又は筐体の側面を凹陥させたもの、或いは、筐体の背面及び側面のコーナー部を凹陥させたもの等が挙げられる。
【００１２】
配線付き機器としては、ファイルの出し入れ情報等を管理する制御盤や、ファイルに設けた記憶媒体との間でファイル情報を送受信するアンテナに付随するコネクタ部、或いは、第１収納空間を開閉する開閉部材を施開錠するためのロック手段の構成要素等が挙げられる。
【００１３】
収納ケースと独立して収納ユニットに上記に準じた作用効果を得るためには、筐体内に、ファイル等の物品を収納する第１収納空間と、この第１収納空間を電磁的に管理するために必要な配線付き機器を収納する第２収納空間とを形成し、前記筐体を他の収納ユニットの筐体とともに垂直スタックするように構成するとともに、前記第２収納空間を包囲する筐体の少なくとも一部に、上下方向に連続する凹部を設けておくようにしてもよい。
【発明の効果】
【００１４】
本発明は、以上のような構成であるから、収納ケース内に収納される物品の個別管理を収納ケースに頼らず電磁的に行うことが可能となり、しかも配線等に邪魔されることなく収納ユニットを前記収納ケースに密接に取り付けて当該収納ケースの内空を最大限に有効利用できるようにした新規有用な収納ユニットを提供することが可能となる。
【発明を実施するための最良の形態】
【００１５】
以下、本発明の一実施形態を、図面を参照して説明する。
【００１６】
この実施形態は、図１及び図２に示すように、２種類の収納ユニット１（基本ユニット１Ａ、拡張ユニット１Ｂ）を採用しており、１台の基本ユニット１Ａと複数台の拡張ユニット１Ｂを収納ケース２に積み重ねた状態で着脱可能に組み込んで使用するようにしている。
【００１７】
何れのユニット１Ａ、１Ｂも、筐体１１内に、共有物であるファイルＦを収納する第１収納空間Ｓ１、及びこの第１収納空間Ｓ１を電磁的に管理するために必要な配線付き機器（後述する）を収納する第２収納空間Ｓ２を有している。
【００１８】
基本ユニット１Ａは、前方に開口する筐体１１の内部に仕切り部材１２を配置することによって内部を前述した第１収納空間Ｓ１と第２収納空間Ｓ２に区成してなるもので、第１収納空間Ｓ１を開閉する位置に透明ないし半透明の扉１３を配置し、また前記仕切り部材１２を第２収納空間Ｓ２に対し着脱可能とし、必要に応じ仕切り部材１２を取り外すことによって第２収納空間Ｓ２を第１収納空間Ｓ１に連通する部位に開成させることができるようにしている。
【００１９】
第１収納空間Ｓ１に臨む底板の下面等には、ファイル情報読み取り部として働くアンテナ３１が配設してあり、このアンテナ３１の端子が第２収納空間Ｓ２に配置したコネクタ部３２を介して当該第２収納空間Ｓ２に配置した制御盤３３に接続されている。制御盤３３は、ＣＰＵ，メモリ及びインターフェース等を搭載した通常のマイクロコンピュータユニットとしての機能を備えるもので、メモリ内に図１のファイルＦに付帯させた記憶媒体ｒから非接触でファイル情報を読み取り、或いは図２に示すＩＤカードＰ１から利用者情報を読み取る等してファイルＦの出し入れ状況や在庫状況を管理するために必要なプログラムが格納してある。また、ファイル管理のために、第２収納空間Ｓ２の前面に配置した操作パネル１４には、上述した利用者のＩＤカードＰ１から利用者情報の読み取りを行うための利用者情報読み取り部３４と、利用者情報やファイル情報を初期設定・検索等するために必要なデータを入力するデータ入力部３５と、ＳＤメモリ等の外部記憶媒体Ｐ２に利用者情報やファイル情報に基づいて生成される管理情報を書き出すためのデータ書き出し部３６と、ファイル情報や利用者情報、入力データ等を表示する表示部３７とを備えており、これら利用者情報読み取り部３４、データ入力部３５、データ書き出し部３６、表示部３７等が前記制御盤３３に接続され、読み取った情報や入力されたデータが制御盤３３に取り込まれるとともに、制御盤３３から書き出しや表示のために必要なデータが送出されるようにしている。
【００２０】
そして、これら扉１３及び仕切り部材１２を閉止位置に選択的にロックするために、第１ロック手段４及び第２ロック手段５を設けている。
【００２１】
第１ロック手段４は、電動アクチュエータ４１と、閉止位置にある扉１３の左右の側縁に選択的に係合する一対の係合部材４２と、電動アクチュエータ４１の動作をこれらの係合部材４２に伝達するリンク機構を利用した動力伝達要素４３とを具備するもので、電動アクチュエータ４１は通電によって作動し、非通電時におけるセルフロック機能は備えないものである。この電動アクチュエータ４１は前記制御盤３３に接続されて、制御盤３３から開閉命令が入力されるようにしてある。
【００２２】
第２ロック手段５は、シリンダ錠５１と、このシリンダ錠５１の動作を前記動力伝達要素４３に直接又は前記係合部材４２を介して伝達するカム（図示省略）とを具備する。シリンダ錠５１は前記操作パネル１４に取り付けたもので、前面から鍵Ｐ３を差し込み、内方端に取り付けた前記カムを回転操作することによって、前記仕切り部材１２を前記扉１３とともに開成させ得るようにしている。この第２ロック手段５の開錠は、主として停電や故障時のメンテナンスのために行われる。このシリンダ錠５１には、操作時に点灯するＬＥＤ（図示省略）が一体的に付帯させてある。制御盤３３やＬＥＤからは給電のための配線Ｃ１、Ｃ２が引き出され、或いは次に述べる拡張ユニット１Ｂとの間を接続する配線Ｃ３が引き出されている。
【００２３】
一方、拡張ユニット１Ｂは、前記基本ユニット１Ａの構成要素のうちのアンテナ３１、コネクタ部３２、第１ロック手段４及び第２ロック手段５を有し、制御盤３３や利用者情報読み取り部３４、データ入力部３５、データ書き出し部３６に対応する構成は備えないものである。すなわち、この拡張ユニット１Ｂの電動アクチュエータ４は前記基本ユニット１Ａの制御盤３３に配線Ｃ３を介し接続されて、制御盤３３から開閉命令が入力されるようにしている。また、この拡張ユニット１Ｂのアンテナ３１はコネクタ部３２及び配線Ｃ４を介して前記基本ユニット１Ａの制御盤３３に接続され、読み取ったファイル情報が制御盤３３に入力されるようにしている。更に、シリンダ錠５１には、上記と同様にＬＥＤ（図示省略）が一体に付帯させてあり、このＬＥＤから給電のための配線Ｃ２が引き出されている。この拡張ユニット１Ｂにおける第１ロック手段４及び第２ロック手段５の構成は、上記基本ユニット１Ａのそれと同様である。
【００２４】
これらの収納ユニット１Ａ、１Ｂからは、上記以外にも適宜必要な配線が引き出される。
【００２５】
ここで、筐体１１を収納ケース２内に着脱可能に組み込む構造を図３に例示する。同図（ａ）に示すものは、収納ケース２の側板に設けたフック孔２１に係合要素である爪２２を介して収納ユニット１の筐体１１を支持させる構造に係るものである。図示例の場合、フック孔２１は棚を支持する棚爪を係止させるために当初より収納ケース２に所定ピッチで開口しているもので、爪２２は棚爪と同様の構造を有する。勿論、爪は収納ユニット１を支持するための専用爪であってもよく、爪が収納ユニット１又は収納ケース２の何れかに当初より一体的に設けられた構造をなしていても構わない。爪はダボのような形態のものでもよい。一方、同図（ｂ）に示すものは、収納ケース２に設けた係合要素であるレール溝２３に収納ユニット１の筐体１１の側面に形成した突条２４を支持させる構造に係るものである。図示例の場合、レール溝２３は棚を支持するために当初より収納ケース２に所定ピッチで形成されているもので、突条２４は棚板に対応した厚みを有する。勿論、レール溝は収納ユニット１を支持するための専用レールであってもよく、レール溝を収納ユニット１側に設け、突条を収納ケース２側に設けた構造であっても構わない。
【００２６】
さらに本実施形態は、上記の構成に加えて、収納ユニット１を構成する筐体１１のうち前記第２収納空間Ｓ２を包囲する部位に、図２に示すように上下方向に連続する凹部１５を設けている。この凹部１５は、筐体１１の背面１１ａを当該筐体１１の上面１１ｂから下面１１ｃに至る領域に亘って凹陥させた溝状のもので、収納ユニット１を収納ケース２内に組み込んだ図４の状態でも、この凹部１５内に各種配線類を収容し得るようにしている。筐体１１の凹部１５に臨む部位には、凹部１５を第２収納空間Ｓ２に連通させる連通部（図示省略）が適宜設けられており、上述した第２収納空間Ｓ２内の配線Ｃ１〜Ｃ４を、この連通部を介して凹部１５側に引き出せるようにしている。このようにして、収納ユニット１を収納ケース２内に多段に組み込んだ際、各収納ユニット１における凹部１５は互いに対応する部位い位置し、これらの凹部１５が上下方向に連続して、拡張ユニット１Ｂから基本ユニット１Ａに至る配線Ｃ３、Ｃ４をこの凹部１５を介して引き回し、或いは基本ユニット１Ａや拡張ユニット１Ｂから給電を行うために引き出される配線Ｃ１、Ｃ２等をこの凹部１５を経て外部の電源等に有効に接続することができる。
【００２７】
以上のようにして、本実施形態の収納ユニット１は、筐体１１内に、ファイルＦを収納する第１収納空間Ｓ１と、この第１収納空間Ｓ１を電磁的に管理するために必要な配線付き機器である制御盤３３、アンテナ３１のコネクタ部３２、ロック手段５のシリンダ錠５１等を収納する第２収納空間Ｓ２とを形成し、前記筐体１１を他の収納ユニット１の筐体１１とともに収納ケース２内に積み重ねた状態で着脱可能に組み込み得るように構成したものである。そして、前記第２収納空間Ｓ２を包囲する筐体１１の少なくとも一部に、上下方向に連続する凹部１５を設けている。
【００２８】
このようにすれば、収納ケース２にファイルＦを収納した収納ユニット１を密集させて配置することができ、しかも収納ケース２に管理機能が全くないか若しくは収納ケース２が全体でしか管理機能を発揮しないような場合であっても、第２収納空間Ｓ２に配置した制御盤３３、アンテナ３１のコネクタ部３２、ロック手段５のシリンダ錠５１などの配線付き機器によって、ロックやロック解除、或いはファイルＦの出し入れや在庫状況の管理といった第１収納空間Ｓ１の電磁的な個別管理を収納ユニット１ごとに有効に行うことが可能になる。
【００２９】
そして、最大限に内空を確保したい第１収納空間Ｓ１とは事情が異なり、第２収納空間Ｓ２は必要な配線付き機器３３等を収納すれば足りるため、この第２収納空間Ｓ２の周囲を包囲する筐体１１の一部に上述した凹部１５を設けても収納機能に著しい不具合が生じることはない。そして、叙述のように収納ユニット１を積み重ねた際に複数の収納ユニット１に亘って凹部１５を上下方向に連続させれば、第２収納空間Ｓ２に収容した配線付き機器３３、３２、５１の配線Ｃ１〜Ｃ４等をこの凹部１５に沿って有効に引き回すことができる。しかも、筐体１１の背面１１ａを収納ケース１２の内面２ａに当接ないし近接させても凹部１５内の空間は確保されるので、配線機能を損なずに収納ケース２への密接で確実な取り付けを行うことが可能となる。
【００３０】
また、筐体１１を係合要素である爪２２やレール溝２３を介して収納ケース２の適宜の高さ位置に着脱可能に係合させ得るようにしているので、収納ケース２に対する収納ユニット１の着脱を簡便に行うことができ、取扱いの便を有効に向上させることができる。
【００３１】
その際、係合要素２２、２３を、棚板を収納ケース２に着脱可能に係合させるための係合要素と同様の構造のものとすることで、棚板を利用した既存の収納ケース２に対し、棚板に替えてこの収納ユニット１をそのまま取り付けて利用することが可能となり、既存部品の有効利用を図ることができる。
【００３２】
特に、この実施形態は、凹部１５が筐体１１の背面１１ａを凹陥させたものであるため、収納ユニット１の後方から配線Ｃ１〜Ｃ４等が引き出される場合にも、収納ケース２に対し奥行き方向に密着させて収納ユニット１を好適に配置することができる。
【００３３】
なお、各部の具体的構成は、上述した実施形態のみに限定されるものではない。例えば、図５に示すように、前記凹部１５を使用しないときに少なくとも上面にキャップ１５ａを設けて蓋封するように構成しておくことも有効である。
【００３４】
また、図６に示すように、筐体１１の側面１１ｄを凹陥させて凹部１６を設ければ、収納ユニット１の側方から配線が引き出される場合にも、収納ケース２に対し幅方向に好適に密着させて収納ユニット１を配置することができる。
【００３５】
さらに、図７に示すように、筐体１１の背面１１ａ及び側面１１ｄのコーナー部を凹陥させて凹部１７を設ければ、収納ユニット１が、後方から配線が引き出されたり側方から配線が引き出されたりするものであっても、収納ケース２に対し奥行き方向及び幅方向に好適に密着させて収納ユニット１を配置することができる。
【００３６】
さらにまた、収納ケース２に依存せずに上記に準じた作用効果を得るためには、上述した構成すなわち、筐体１１内にファイルＦ等の共有物を収納する第１収納空間Ｓ１及びこの第１収納空間Ｓ１を電磁的に管理するために必要な配線付き機器３３、３２、５１等を収納する第２収納空間Ｓ２を形成し、前記第２収納空間Ｓ２を包囲する筐体１１の少なくとも一部に上下方向に連続する凹部１５〜１７を設けるという同様の構成を備えた上で、図８に示すように筐体１１を他の収納ユニット１の筐体１１とともに垂直スタックできるように構成したものであってもよい。垂直スタックのための構造は、少なくとも水平方向の位置ずれを防止する凹凸等の係合構造を備えていれば有効となる。
【００３７】
このような収納ユニット１であっても、壁等に密接に配置した状態で凹部１５〜１７を配線空間として有効利用することができる。しかも、収納ケース２に依存しないので、部品点数を擁さずに収納ユニット１を集合させることができ、拡張等も比較的自在に行うことが可能なものとなる。
【００３８】
その他の構成も、本発明の趣旨を逸脱しない範囲で種々変形が可能である。
【図面の簡単な説明】
【００３９】
【図１】本発明の一実施形態に係る収納ユニットを収納ケースに組み込んだ状態で示す斜視図。
【図２】同実施形態の収納ユニットを収納ケースに組み込む前の状態で示す斜視図。
【図３】同実施形態において収納ユニットを収納ケースに組み込むための構造を示す原理図。
【図４】同実施形態の作用説明図。
【図５】本発明の変形例を示す図。
【図６】本発明の変形例を示す図。
【図７】本発明の変形例を示す図。
【図８】本発明の変形例を示す図。
【符号の説明】
【００４０】
１…収納ユニット
１Ａ…収納ユニット（基本ユニット）
１Ｂ…収納ユニット（拡張ユニット）
２…収納ケース
１１…筐体
１１ａ…背面
１１ｄ…側面
１５，１６，１７…凹部
２２…係合要素（爪）
２３…係合要素（レール溝）
３２…配線付き機器（コネクタ部）
３３…配線付き機器（制御盤）
５１…配線付き機器（シリンダ錠）
Ｆ…ファイル
Ｓ１…第１収納空間
Ｓ２…第２収納空間
【図１】
2006061425.tif 000003
【図２】
2006061425.tif 000004
【図３】
2006061425.tif 000005
【図４】
2006061425.tif 000006
【図５】
2006061425.tif 000007
【図６】
2006061425.tif 000008
【図７】
2006061425.tif 000009
【図８】
2006061425.tif 000010